(57)【特許請求の範囲】
【請求項１】
シアン含有排水に、銅化合物およびマグネシウム化合物を添加し、還元剤の存在下に反応させ、シアンの不溶性塩を生成させて分離する方法であって、
前記銅化合物は、前記還元剤の存在下に銅（Ｉ）イオンになる化合物であり、
前記銅化合物とマグネシウム化合物の比率はＣｕとＭｇの重量比で９５：５〜６０：４０であり、
前記還元剤は、前記銅化合物を銅（Ｉ）イオンに還元するものであり、
前記還元剤の量は、添加する２価の銅イオンを１価に還元できる量であり、
前記反応時のｐＨは４〜１１である
ことを特徴とするシアン含有排水の処理方法。
【請求項２】
不溶性塩を生成させた後に、凝集剤を添加して凝集分離する請求項１記載の方法。
【請求項３】
凝集剤は無機凝集剤および有機高分子凝集剤である請求項２記載の方法。
【請求項４】
請求項１ないし３のいずれかに記載のシアン含有排水の処理方法に用いる処理剤であって、
銅化合物およびマグネシウム化合物を含み、
前記銅化合物とマグネシウム化合物の比率はＣｕとＭｇの重量比で９５：５〜６０：４０である
ことを特徴とするシアン含有排水の処理剤。
【請求項５】
銅化合物、マグネシウム化合物および還元剤を含み、
前記還元剤の量は、添加する２価の銅イオンを１価に還元できる量である請求項４記載の処理剤。
【発明の詳細な説明】
【技術分野】
【０００１】
本発明は、シアン含有排水を銅、還元剤等の無機薬剤を含む処理剤との反応によりシアンの不溶性塩を生成させ、これを凝集分離して除去する処理方法および処理剤に関するものである。
【背景技術】
【０００２】
製鉄所のコークス製造工程から排出されるガス液（安水）や、金属めっき工場、化学工場などから排出されるシアン含有排水は、遊離シアンのほか錯体シアンを含有している。このようなシアン含有排水は、シアンを除去して無害化する処理が行われている。一般的なシアン処理としては、アルカリおよび遊離塩素を反応させて分解するアルカリ塩素法が知られているが、この方法は遊離シアンの分解については有効であるが、鉄シアンなどの錯体を形成しているシアンは除去できない。
【０００３】
フェロシアンイオン、フェリシアンイオンなどの鉄シアン錯体含有水を処理する方法として、鉄塩（ＩＩ）を添加して鉄シアン錯体と反応させる紺青法が知られている。この方法では、弱酸性（ｐＨ４〜６）で不溶性の鉄シアン錯塩を沈殿させ、その後高アルカリ（ｐＨ９〜１２）で過剰の鉄塩（ＩＩ）および共存重金属を水酸化物として沈殿させる。しかし紺青法においては、不溶性鉄シアン錯体が生成する領域は弱酸性であるため、鉄シアン錯体をｐＨ４〜６で沈殿させる第１の工程と、過剰の鉄塩（ＩＩ）および共存重金属をｐＨ９〜１２で沈殿させる第２の工程の２段階処理が必要である。
【０００４】
特許文献１（特開昭６３−３９６９３（特公平２−４８３１５））には、還元剤存在下に銅塩を添加し、各種シアンの不溶性塩を生成させる還元銅塩法が適用されている。この方法は全シアン法とも呼ばれ、遊離シアンおよび各種錯シアンを含む全シアンを処理できるとされているが、シアン錯体の種類によっては満足できない場合がある。特許文献１では、代表的な反応式として次の（１）〜（３）式が示されている。
Ｃｕ＋＋ＣＮ−→ＣｕＣＮ↓                      ・・・（１）
４Ｃｕ＋＋Ｚｎ（ＣＮ）４２−→４ＣｕＣＮ↓＋Ｚｎ２＋・・・（２）
Ｃｕ＋＋Ａｇ（ＣＮ）２−→４ＣｕＡｇ（ＣＮ）２↓・・・（３）
【０００５】
特許文献２（特開平１−３０６９３（特許２５８０６１０））には、鉄シアン錯体含有水に鉄（ＩＩ）塩と銅塩とを還元剤の存在下に反応させて不溶性塩を生成させる方法が示されている。この方法は特に鉄シアン錯体含有水に対して効果的に処理することができる。特許文献２では還元剤の存在により、銅（ＩＩ）は銅（Ｉ）に還元され、フェリシアンイオンはフェロシアンイオンに還元され、代表的な反応式として次の式が示されている。
ｘＣｕ２＋＋ｙＦｅ２＋＋ｚＦｅ（ＣＮ）６４−→ＦｅｘＣｕｙ〔Ｆｅ（ＣＮ）６〕ｚ↓・・・（４）
【０００６】
特許文献１および２の方法では、銅塩等を還元剤の存在下にシアンと反応させ不溶性塩を生成させて分離するが、シアンの除去率が必ずしも十分であるとはいえない。これらの方法において生成する不溶性塩は固液分離性が良好ではなく、鉄塩（ＩＩＩ）等の無機凝集剤やポリアクリルアミド等の有機高分子凝集剤などを添加して凝集分離しているが、凝集効果が不十分で、シアン除去効果が劣ることがあり、また凝集剤の使用量が多く必要になる。
【０００７】
また特許文献３（特開平４−３４１３９３）には、鉄シアノ錯イオンを含有する水溶液に、マグネシウム、マンガンまたはニッケルのイオンとアルミニウムイオンとを作用させて鉄シアノ錯イオンを層状複水酸化物として沈殿させ、これを分離、除去するようにした水溶液中の鉄シアノ錯イオンの除去方法が示されている。しかし銅に関する記述はない。
【０００８】
特許文献４（特開２０００−２０２４６１）には、重金属錯体を含む排水に、マグネシウム化合物を重金属錯体との反応当量以上添加し、さらに鉄および／またはアルミニウム化合物を５０〜５０００ｍｇ／ｌ添加し、ｐＨ５．５〜９．５で固液分離するようにした重金属錯体含有排液の処理方法が示されている。ここで処理対象とする排水は、重金属およびキレート剤を重金属錯体として含む排水である。重金属としては、銅が示されているが、キレート剤としてはグルコン酸、クエン酸、酒石酸、マロン酸などの有機酸、またはトリエタノールアミンなどのアミン類などが示されているが、シアン錯体については記載がない。
【先行技術文献】
【特許文献】
【０００９】
【特許文献１】特開昭６３−３９６９３（特公平２−４８３１５）
【特許文献２】特開平１−３０６９３（特許２５８０６１０）
【特許文献３】特開平４−３４１３９３
【特許文献４】特開２０００−２０２４６１
【発明の概要】
【発明が解決しようとする課題】
【００１０】
本発明の課題は、反応により生成するシアンの不溶性塩の凝集効果を向上させて、凝集分離によるシアン除去率を向上させることができ、シアンの除去率が高く、凝集剤添加量を低減でき、銅由来の汚泥発生量も低減できるシアン含有排水の処理方法および処理剤を得ることである。
【課題を解決するための手段】
【００１１】
本発明は次のシアン含有排水の処理方法および処理剤である。
（１）  シアン含有排水に、銅化合物およびマグネシウム化合物を添加し、還元剤の存在下に反応させ、シアンの不溶性塩を生成させて分離する方法であって、
前記銅化合物は、前記還元剤の存在下に銅（Ｉ）イオンになる化合物であり、
前記銅化合物とマグネシウム化合物の比率はＣｕとＭｇの重量比で９５：５〜６０：４０であり、
前記還元剤は、前記銅化合物を銅（Ｉ）イオンに還元するものであり、
前記還元剤の量は、添加する２価の銅イオンを１価に還元できる量であり、
前記反応時のｐＨは４〜１１である
ことを特徴とするシアン含有排水の処理方法。
（２）  不溶性塩を生成させた後に、凝集剤を添加して凝集分離する上記（１）記載の方法。
（３）  凝集剤は無機凝集剤および有機高分子凝集剤である上記（２）記載の方法。
（４） 上記（１）ないし（３）のいずれかに記載のシアン含有排水の処理方法に用いる処理剤であって、
銅化合物およびマグネシウム化合物を含み、
前記銅化合物とマグネシウム化合物の比率はＣｕとＭｇの重量比で９５：５〜６０：４０である
ことを特徴とするシアン含有排水の処理剤。
（５） 銅化合物、マグネシウム化合物および還元剤を含み、
前記還元剤の量は、添加する２価の銅イオンを１価に還元できる量である上記（４）記載の処理剤。
【００１２】
本発明において、処理対象となるシアン含有排水は、遊離シアン、錯体シアン等のシアンを含有している排水である。錯体シアンとしてはシアンの金属錯体があり、フェロシアンイオン、フェリシアンイオンなどの鉄シアン錯体、その他の金属錯体が含まれていてもよい。このようなシアン含有排水は、製鉄所のコークス製造工程から排出されるガス液（安水）や、金属めっき工場、化学工場などから排出されるシアン含有排水があげられる。シアン含有排水は、鉄等の金属や、有機酸等のキレート剤その他の不純物を含んでいてもよい。鉄等の金属は錯体シアンとして含まれているものが一般的である。有機酸等のキレート剤は金属を不溶化するものとして含まれている場合がある。
【００１３】
銅化合物は還元剤の存在下に銅（Ｉ）イオンを生成するものであり、一般的には水溶性の塩が用いられる。このような銅化合物としては、銅（Ｉ）の化合物でも、銅（ＩＩ）の化合物でもよいが、一般に銅（Ｉ）の化合物は難溶性で入手が困難であるため、銅（ＩＩ）の化合物を還元剤とともに用い、銅（Ｉ）の化合物に還元して、シアンや錯体シアンと反応させるのが好ましい。このような銅（ＩＩ）の化合物としては、水溶性の硫酸銅（ＩＩ）、塩化銅（ＩＩ）、硝酸銅（ＩＩ）などの２価の銅塩が利用可能である。
【００１４】
本発明においてマグネシウム化合物は、水中でマグネシウムイオンを生成するものであり、一般的には水溶性の塩が用いられる。このようなマグネシウム化合物としては、塩化マグネシウム、硫酸マグネシウム，硝酸マグネシウムなどの水溶性の塩が好ましいが、酸化マグネシウム、水酸化マグネシウム、炭酸マグネシウムなども利用可能である。
【００１５】
還元剤としては、２価の銅イオンを１価に還元できる還元剤が用いられるが、さらにフェリシアンイオンをフェロシアンイオンに還元できる還元剤が好ましい。このような還元剤としては亜硫酸塩、重亜硫酸塩、チオ硫酸塩など、水溶性の塩が好ましい。還元剤として第１鉄塩を用いることもできるが、汚泥量が増大するので、亜硫酸塩、重亜硫酸塩、チオ硫酸塩など他の還元剤を同時に添加して反応させることができる。
【００１６】
本発明のシアン含有排水の処理剤は、銅化合物およびマグネシウム化合物を含む薬剤であり、特に銅化合物、マグネシウム化合物および還元剤を含む薬剤が好ましい。銅化合物とマグネシウム化合物の比率は、処理対象であるシアン含有排水のシアンの形態、組成等に応じて変わるが、一般的にはＣｕとＭｇの重量比で９５：５〜６０：４０、好ましくはである９４：６〜６５：３５とすることができる。還元剤の量は、添加する２価の銅イオンを１価に還元できる量であるが、シアン含有排水中にフェリシアンイオンを含む場合は、これをフェロシアンイオンに還元できる量とするのが好ましい。
【００１７】
銅化合物とマグネシウム化合物は上記の比率で配合して１剤とすることができるが、別々に製剤とし、現場で添加してもよい。還元剤はこれらと配合して１剤としてもよいが、還元剤としての活性を維持するためには、別々に製剤とし、現場で添加するのが好ましい。これらの処理剤は水溶液で添加されるため、水溶液製剤とすることができるが、固形製剤とし、現場で水溶液を調製して添加することもできる。
【００１８】
本発明のシアン含有排水の処理剤には、上記の薬剤成分のほかに、シアン除去反応および後処理に必要な他の薬剤を併用することができる。シアン除去反応に必要な他の薬剤としては、酸、アルカリ等のｐＨ調整剤があげられるが、反応を促進するための促進剤を併用してもよい。シアンを十分に除去するためには、銅化合物が過剰に添加される場合があるが、この過剰に添加された銅を除去するために、キレート系の重金属捕集剤を添加することができる。この重金属捕集剤としては、ジチオカルバミン酸基を有する化合物等があげられる。
【００１９】
後処理に必要な他の薬剤としては、凝集剤、ｐＨ調整剤などがあげられる。凝集剤は排水中のシアンと銅およびマグネシウムの反応により生成する不溶性の析出物や、前記過剰の銅と重金属捕集剤の反応生成物を凝集分離するための凝集剤であり、無機凝集剤および有機高分子凝集剤が用いられる。無機凝集剤は上記不溶性の析出物等の凝集のほか、残留するシアン錯体をも凝集させるのに適した塩化鉄（ＩＩＩ）、硫酸鉄（ＩＩＩ）等の鉄塩系凝集剤が好ましいが、ＰＡＣ等のアルミニウム塩系凝集剤なども用いることができる。有機高分子凝集剤としては、上記無機凝集剤により凝集した凝集物をフロック化して分離するのに適した凝集剤として、ポリアクリルアミド、アクリルアミドとアクリル酸（ナトリウム）との共重合物、ポリアクリルアミド部分加水分解物などがあげられる。
【００２０】
本発明のシアン含有排水の処理方法では、シアン含有排水に上記本発明の処理剤を添加し、攪拌混合することにより、銅化合物およびマグネシウム化合物を還元剤の存在下にシアンと反応させ、シアンの不溶性塩を生成させて分離する。上記本発明の処理剤を添加し、攪拌混合することにより、添加された銅化合物から生成する２価の銅イオンは１価に還元され、また原水中に含まれるフェリシアンイオンはフェロシアンイオンに還元される。このような状態で原水中に含まれるシアンと銅およびマグネシウムが反応してシアンの不溶性塩が生成するため、その不溶性塩を分離することにより、シアンは高除去率で除去される。
【００２１】
銅化合物の添加量は、排水中のシアン含量に対して当量以上であるが、シアン除去率を高くするためには、過剰量を添加するのが好ましく、一般的にはシアン含量に対して１．０５〜１．５当量、好ましくは１．１〜１．３当量添加するのが好ましい。過剰添加の場合、残留する銅を除去するために、ｐＨ調整または反応後に前記重金属捕集剤を添加するが、その添加量も上記と同程度の過剰添加とすることができる。
【００２２】
マグネシウム化合物の添加量は、前記組成物の銅化合物とマグネシウム化合物の比率で決まる量とされるが、排水の組成やキレート性有機酸の量等により変化させることができる。還元剤の添加量は前記銅化合物およびフェリシアンイオンの還元に必要な量である。反応時のｐＨは４〜１１、好ましくは７〜９．５とされ、原水がこの範囲を外れる場合は、酸またはアルカリからなるｐＨ調整剤の添加によりｐＨ調整することができる。
【００２３】
本発明におけるシアン除去反応の機構は明らかではないが、前記特許文献１および２の方法において、マグネシウムの存在が大きく係っていることが考えられる。すなわち原水中に含まれるシアンと銅およびマグネシウムの反応は、原水中に含まれるシアンの形態により異なり、銅との反応で不溶性塩を生成する遊離シアンや易分離性のシアン錯体のように、特許文献１の反応により不溶性化するものがあると考えられるが、特許文献１の反応では不溶性化が困難なシアン錯体などは、銅とマグネシウムが関与する特許文献２に類似の反応により不溶性化するものもあると考えられる。
【００２４】
このほか特許文献１の反応におけるシアン化銅（ＣｕＣＮ）の不溶化物生成時に、Ｍｇ塩が混在すると、有機酸によるキレートを防止することにより、不溶化物の分離効果が向上することが考えられる。すなわちシアン処理の場合、グルコン酸、クエン酸、酒石酸、マロン酸等の錯体を形成する有機酸が混在することが多いが、これらが存在すると凝集効果が悪化して、シアン除去率が悪化する。例えば、無機凝集剤として塩化鉄（ＩＩＩ）を使用する場合、有機酸が存在すると、水酸化鉄（ＩＩＩ）の沈殿物の形成が阻害され、沈殿効果が悪化する。ここでマグネシウム塩が存在すると、マグネシウムイオンが有機酸と反応して錯体を形成し、無機凝集剤の鉄の沈殿が良好に行われると考えられる。また同様に、銅がキレート剤に消費されることも防止することが考えられる。
【００２５】
本発明では、シアン含有排水に銅化合物およびマグネシウム化合物を、還元剤の存在下に反応させることによりシアンの不溶性塩を生成させるが、この反応により生成する不溶性塩は微細で分離が困難である。また前記重金属捕集剤を添加して過剰の銅を捕捉して生成する錯体を除去する必要がある。このため本発明では、上記の反応後、凝集剤添加により凝集分離を行うのが好ましい。凝集分離は、前記鉄塩系凝集剤などの無機凝集剤とｐＨ調整剤を添加して攪拌混合することにより凝集させ、さらに有機高分子凝集剤を添加して攪拌混合することによりフロックを形成し、フロックを沈降分離、ろ過分離等により固液分離する。
【００２６】
凝集剤の添加濃度は、鉄塩等の無機凝集剤は１００〜２０００ｍｇ／Ｌ、好ましくは２００〜５００ｍｇ／Ｌ、有機高分子凝集剤は０．５〜５ｍｇ／Ｌ、好ましくは１〜２ｍｇ／Ｌ程度である。無機凝集剤添加後ｐＨ５〜１１、好ましくは７〜９．５になるようにｐＨ調整剤を添加して、攪拌強度は攪拌翼の外周速度で１〜５ｍ／ｓｅｃ、好ましくは１〜３ｍ／ｓｅｃで強攪拌し、さらに有機高分子凝集剤を添加して、攪拌翼の外周速度で０．３〜１ｍ／ｓｅｃ、好ましくは０．５〜０．８ｍ／ｓｅｃで緩速攪拌することにより、固液分離に適したフロックが形成される。
【００２７】
形成されたフロックの固液分離により、原水中で析出したシアン不溶化物は除去されるが、前記銅との反応により不溶化しないで残留する銅その他の重金属イオン、鉄（ＩＩ）イオン、シアン錯体等も無機凝集剤の成分である鉄（ＩＩＩ）イオン等と反応して不溶化と同時に凝集され除去される。これにより銅その他の重金属イオンやシアン含量の少ない処理水が得られる。
【発明の効果】
【００２８】
本発明によれば、シアン含有排水に銅化合物およびマグネシウム化合物を、還元剤の存在下に反応させ、シアンの不溶性塩を生成させて分離するようにしたので、反応により生成するシアンの不溶性塩の凝集効果を向上させて、凝集分離によるシアン除去率を向上させることができ、これによりシアンの除去率を高くし、凝集剤添加量を低減させることができ、銅由来の汚泥発生量も低減できる。
【図面の簡単な説明】
【００２９】
【図１】実施形態のシアン含有排水の処理方法を示すフロー図である。
【発明を実施するための形態】
【００３０】
以下、本発明の実施形態を図面により説明する。図１において、１は反応槽、２は凝集槽、３は沈降分離槽、４はろ過分離槽である。反応槽１および凝集槽２内には攪拌機５、６が設けられ、それぞれモータＭ１、Ｍ２で回転するように連結している。沈降分離槽３の底部にはレーキ７が設けられ、モータＭ３で回転するように連結している。
【００３１】
図１の装置によるシアン含有排水の処理方法は次のように行われる。まず反応槽１に、被処理水導入路Ｌ１から被処理水であるシアン含有排水を導入し、還元剤供給路Ｌ２から還元剤を供給し、処理剤供給路Ｌ３から銅化合物とマグネシウム化合物を含む処理剤を供給し、ｐＨ調整剤供給路Ｌ４からｐＨ調整剤を供給し、攪拌機５で攪拌混合してｐＨ調整、還元、反応を行う。
【００３２】
これにより銅化合物は還元剤により還元され、遊離シアンおよびシアン錯体は処理剤の銅化合物およびマグネシウム化合物と反応し、効率的にシアンの不溶性塩を生成する。銅を過剰添加した場合には、反応液を移送路Ｌ５から凝集槽２へ移送する過程で、重金属捕集剤供給路Ｌ６から重金属捕集剤を供給して反応させることにより、残留する銅を錯体として不溶化させる。
【００３３】
凝集槽２では無機凝集剤供給路Ｌ７から無機凝集剤を供給し、ｐＨ調整剤供給路Ｌ８からｐＨ調整剤を供給し、攪拌機６で急速攪拌してｐＨ調整し、凝集反応を行う。これにより析出する無機凝集剤の析出物は、反応槽１で生成したシアンの不溶化物、および重金属捕集剤により不溶化した銅錯体を抱き込んで析出するとともに、なお残留する銅イオンやシアン錯体と反応して不溶化させて析出する。
【００３４】
凝集槽２の凝集反応液を移送路Ｌ９から沈降分離槽３へ移送する過程で、有機高分子凝集剤供給路Ｌ１０から有機高分子凝集剤を供給して緩速攪拌し、フロックを形成させる。フロックを形成凝集反応液は沈降分離槽３で沈降分離を受ける。沈降分離槽３の底部に沈降したフロックはレーキ７で集められ、汚泥排出路Ｌ１１から外部に排出される。沈降分離槽３の分離液は移送路Ｌ１２からろ過分離槽４に移送され、ろ材層８を通過する過程で、残留する微細な析出物がろ過分離され、処理水は処理水路Ｌ１３から外部に排出される。これにより、シアンは高除去率で除去され、銅その他の重金属イオンやシアン含量の少ない処理水が得られる。
【００３５】
上記の処理では、シアン含有排水に銅化合物およびマグネシウム化合物を、還元剤の存在下に反応させ、シアンの不溶性塩を生成させて分離することにより、反応により生成するシアンの不溶性塩の凝集効果が向上するとともに、凝集分離によるシアン除去率が向上し、これにより少ない凝集剤添加量でシアンの除去率を高くすることができる。
【実施例】
【００３６】
以下、本発明の実施例について説明する。実施例で処理対象とした被処理水は、製鉄所の安水処理排水（ｐＨ６．５、濁度３００度、シアン：１０ｍｇ／Ｌ、Ｔ−Ｃｕ：０．１ｍｇ／Ｌ以下）である。実施例で添加した還元剤は重亜硫酸ナトリウム、銅化合物は硫酸銅、マグネシウム化合物は塩化マグネシウム、無機凝集剤は塩化鉄（ＩＩＩ）、有機高分子凝集剤はアクリルアミドとアクリル酸ナトリウムとの共重合物、ｐＨ調整剤は水酸化ナトリウムである。
【００３７】
〔実施例１〜２〕：
図１の装置（ただしろ過分離槽は省略）において、被処理水を反応槽１に導入し、銅化合物とマグネシウム化合物を含む処理剤、還元剤およびｐＨ調整剤を供給し、攪拌機５で攪拌混合してｐＨ調整、還元、反応を行った。反応液を凝集槽２へ移送し、無機凝集剤およびｐＨ調整剤を供給し、攪拌機６で急速攪拌して凝集反応を行った。凝集槽２の凝集反応液を沈降分離槽３へ移送する過程で、有機高分子凝集剤を供給して緩速攪拌し、フロックを形成した凝集反応液を沈降分離槽３で沈降分離した。結果を表１に示す。
【００３８】
〔比較例１〜２〕：
実施例１〜２において、還元剤、銅化合物、マグネシウム化合物のいずれかを添加しないで同様の試験を行った。結果を表１に示す。
【００３９】
【表１】
0005962177.tif 000002
【００４０】
上記の結果より、硫酸銅の添加量が少なくてもシアン除去効果が同等以上に良好で、コストが低減でき、銅由来の汚泥発生量も低減して有効である
【産業上の利用可能性】
【００４１】
遊離シアン、シアン錯体等のシアン含有排水を、銅、還元剤等の無機薬剤を含む処理剤と反応させ、生成するシアンの不溶性析出物を凝集分離して除去する処理方法および処理剤に利用可能である。
【符号の説明】
【００４２】
１：  反応槽、２：  凝集槽、３：  沈降分離槽、４：  ろ過分離槽、５，６：攪拌機、７：  レーキ、８：  ろ材層、
Ｍ１，Ｍ２，Ｍ３：  モータ、Ｌ１：  被処理水導入路、Ｌ２：  還元剤供給路、Ｌ３：  処理剤供給路、Ｌ４，Ｌ８：  ｐＨ調整剤供給路、Ｌ５，Ｌ９，Ｌ１２：  移送路、Ｌ６：  重金属捕集剤供給路、Ｌ７：  無機凝集剤供給路、Ｌ１０：  有機高分子凝集剤供給路、Ｌ１１：  汚泥排出路、Ｌ１３：  処理水路。
【図１】
0005962177.tif 000003